(57)【要約】  励振周波数の変動が抑制できる水晶振動片及び水晶振動子を提供する。  本発明に係る水晶振動片は、振動部と、振動部の周囲を囲む枠部と、振動部と枠部とを連結する第１ないし第４の連結部と、を含む基板と、第１及び第２の励振電極と、を備えており、振動部の第１の主面は、第１ないし第４の辺を有する長方形状をなしており、第１の連結部は、ｚ軸の正側かつｘ軸の負側において、振動部と枠部とを連結し、第２の連結部は、ｚ軸の正側かつｘ軸の正側において、振動部と枠部とを連結し、第３の連結部は、ｚ軸の負側かつｘ軸の正側において、振動部と枠部とを連結し、第４の連結部は、ｚ軸の負側かつｘ軸の負側において、振動部と枠部とを連結し、第１の接続部ないし第４の接続部により形成される四角形の対角線の交点は、ｘ軸よりもｚ軸の正側に位置している。
2017221609.tif 000002
【特許請求の範囲】
【請求項１】
第１の主面及び第２の主面を有する基板であって、水晶板である振動部と、前記第１の主面の法線方向から見たときに、前記振動部から離れて前記振動部の周囲を囲む枠部と、
前記振動部と前記枠部とを連結する第１の連結部ないし第４の連結部と、を含む基板と、
前記振動部の前記第１の主面上に設けられている第１の励振電極と、
前記振動部の前記第２の主面上に設けられている第２の励振電極と、
を備えており、
前記振動部の前記第１の主面は、前記法線方向から見たときに、第１の辺及び第２の辺と、前記第１の辺及び前記第２の辺に直交する第３の辺及び第４の辺と、を有する長方形状をなしており、
前記法線方向から見たときに、前記振動部の前記第１の主面の対角線の交点を原点と定義し、
前記原点を通り、かつ、前記第１の辺に平行な直線であって、前記第３の辺側を正側とする直線をｚ軸と定義し、
前記原点を通り、かつ、前記第３の辺に平行な直線であって、前記第２の辺側を正側とする直線をｘ軸と定義し、
前記第１の連結部は、前記法線方向から見たときに、前記ｚ軸の正側かつ前記ｘ軸の負側において、前記振動部と前記枠部とを連結し、
前記第２の連結部は、前記法線方向から見たときに、前記ｚ軸の正側かつ前記ｘ軸の正側において、前記振動部と前記枠部とを連結し、
前記第３の連結部は、前記法線方向から見たときに、前記ｚ軸の負側かつ前記ｘ軸の正側において、前記振動部と前記枠部とを連結し、
前記第４の連結部は、前記法線方向から見たときに、前記ｚ軸の負側かつ前記ｘ軸の負側において、前記振動部と前記枠部とを連結し、
前記第１の連結部ないし前記第４の連結部のそれぞれが前記振動部に接続された部分を第１の接続部ないし第４の接続部と定義し、
前記第１の接続部ないし前記第４の接続部により形成される四角形の対角線の交点は、前記法線方向から見たときに、前記ｘ軸よりも前記ｚ軸の正側又は負側のいずれかに位置している、又は、前記第１の接続部ないし前記第４の接続部により形成される四角形の対角線の交点は、前記法線方向から見たときに、前記ｚ軸よりも前記ｘ軸の正側又は負側のいずれかに位置している、
水晶振動片。
【請求項２】
前記第１の辺及び前記第２の辺の長さは、前記第３の辺及び前記第４の辺の長さより短い、
請求項１に記載の水晶振動片。
【請求項３】
前記第１の接続部及び前記第４の接続部は、前記第１の辺に位置している、
請求項２に記載の水晶振動片。
【請求項４】
前記第２の接続部及び前記第３の接続部は、前記第２の辺に位置している、
請求項２又は請求項３のいずれかに記載の水晶振動片。
【請求項５】
前記第１の接続部と前記ｘ軸との距離をＷ１とし、
前記第２の接続部と前記ｘ軸との距離をＷ２とし、
前記第３の接続部と前記ｘ軸との距離をＷ３とし、
前記第４の接続部と前記ｘ軸との距離をＷ４とし、
Ｗ１≠Ｗ４及び／又はＷ２≠Ｗ３が成立している、
請求項４に記載の水晶振動片。
【請求項６】
前記第１の接続部と前記第４の接続部との距離をＤ１とし、
前記第２の接続部と前記第３の接続部との距離をＤ２とし、
Ｄ１≠Ｄ２が成立している、
請求項４又は請求項５のいずれかに記載の水晶振動片。
【請求項７】
前記第１の接続部と前記第４の接続部との距離をＤ１とし、
前記第２の接続部と前記第３の接続部との距離をＤ２とし、
Ｄ１＝Ｄ２が成立している、
請求項４又は請求項５のいずれかに記載の水晶振動片。
【請求項８】
前記基板は、１枚の水晶板である、
請求項１ないし請求項７のいずれかに記載の水晶振動片。
【請求項９】
前記枠部の前記第２の主面上に設けられている第１の外部電極と、
前記枠部の前記第２の主面上に設けられている第２の外部電極と、
前記基板の前記第１の主面上に設けられ、かつ、第１の端部と第２の端部を有する第１の引き出し電極であって、前記第１の連結部ないし前記第４の連結部のいずれかを通過することによって、前記第１の端部において前記第１の励振電極に接続されると共に、前記第２の端部において前記第１の外部電極と電気的に接続される第１の引き出し電極と、
前記基板の前記第２の主面上に設けられ、かつ、第３の端部と第４の端部を有する第２の引き出し電極であって、前記第１の連結部ないし前記第４の連結部のいずれかを通過することによって、前記第３の端部において前記第２の励振電極に接続されると共に、前記第４の端部において前記第２の外部電極と電気的に接続される第２の引き出し電極と、
を備えている、
請求項１ないし請求項８のいずれかに記載の水晶振動片。
【請求項１０】
請求項９に記載の前記水晶振動片と、
第３の主面及び第４の主面を有し、かつ、前記第２の主面と前記第３の主面とが対向するように前記水晶振動片が実装される実装基板と、
前記第３の主面を覆うキャップと、
を備えている、
水晶振動子。
【発明の詳細な説明】
【技術分野】
【０００１】
本発明は、水晶振動片及び水晶振動子、特に、水晶板の両主面を１対の励振電極で挟んだ構造を有する水晶振動片及び水晶振動子に関する。
【背景技術】
【０００２】
従来の水晶振動片に関する発明としては、例えば、特許文献１に記載の水晶デバイスが知られている。図８は、特許文献１に記載の水晶デバイス５００の断面構造図である。図９は、特許文献１に記載の水晶デバイス５００を上側から見た図である。以下では、水晶デバイス５００の上下方向、左右方向及び前後方向を図８に示すように定義する。【０００３】
水晶デバイス５００は、容器本体５０１、水晶片５０２及び台座５０４を備えている。水晶片５０２は、その前端において台座５０４の上面に実装される。台座５０４は、その後端において容器本体５０１の底部の上面に実装される。これにより、水晶片５０２と台座５０４との固定部と容器本体５０１と台座５０４との固定部とが離れるようになる。そのため、容器本体５０１の線膨張係数と台座５０４の線膨張係数との差によって台座５０４の後端において歪みが生じても、歪みが台座５０４を伝わって水晶片５０２と台座５０４との固定部まで到達しにくくなる。これにより、熱膨張係数差による影響が排除されるようになる。
【先行技術文献】
【特許文献】
【０００４】
【特許文献１】特開２０１０−１３５８９０号公報
【特許文献２】特開２０１２−１３４８２４号公報
【発明の概要】
【発明が解決しようとする課題】
【０００５】
ところで、特許文献１に記載の水晶デバイス５００では、外部から衝撃が加わった際に、励振周波数が変動するという問題があった。より詳細には、水晶デバイス５００に衝撃が加わると、水晶片５０２と台座５０４とが接続されている部分を介して、衝撃が台座５０４から水晶片５０２へと伝達される。【０００６】
ここで、水晶デバイス５００では、図９に示すように、上側から見たときに、水晶片５０２及び水晶片５０２に設けられている外部電極や励振電極が、直線Ｌ５００に関して線対称な構造を有している。直線Ｌ５００は、上側から見たときに、水晶片５０２の対角線の交点を通過し、前後方向に延びる直線である。そのため、水晶片５０２は、直線Ｌ５００に関して線対称な位置において台座５０４に固定されている。したがって、衝撃による応力は、固定箇所の中間である直線Ｌ５００上において大きくなる。直線Ｌ５００上には励振電極の中心が位置しているので、励振電極の中心に大きな応力が加わる。その結果、水晶デバイス５００の励振周波数が変動する。なお、熱衝撃が水晶デバイス５００に加わった際も、衝撃が水晶デバイス５００に加わった際と同じ理由により、水晶デバイス５００の励振周波数が変動する。【０００７】
なお、特許文献２に記載の振動片も、水晶片５０２と同様に、線対称な構造を有している。そのため、特許文献２に記載の振動片も、水晶デバイス５００と同様に、外部から衝撃や熱衝撃が加わった際に、励振周波数が変動するという問題を有している。【０００８】
そこで、本発明の目的は、励振周波数の変動を抑制できる水晶振動片及び水晶振動子を提供することである。
【課題を解決するための手段】
【０００９】
本発明の一形態に係る水晶振動片は、第１の主面及び第２の主面を有する基板であって、水晶板である振動部と、前記第１の主面の法線方向から見たときに、前記振動部から離れて前記振動部の周囲を囲む枠部と、前記振動部と前記枠部とを連結する第１の連結部ないし第４の連結部と、を含む基板と、前記振動部の前記第１の主面上に設けられている第１の励振電極と、前記振動部の前記第２の主面上に設けられている第２の励振電極と、を備えており、前記振動部の第１の主面は、前記法線方向から見たときに、第１の辺及び第２の辺と、前記第１の辺及び前記第２の辺に直交する第３の辺及び第４の辺と、を有する長方形状をなしており、前記法線方向から見たときに、前記振動部の第１の主面の対角線の交点を原点と定義し、前記原点を通り、かつ、前記第１の辺に平行な直線であって、前記第３の辺側を正側とする直線をｚ軸と定義し、前記原点を通り、かつ、前記第３の辺に平行な直線であって、前記第２の辺側を正側とする直線をｘ軸と定義し、前記第１の連結部は、前記法線方向から見たときに、前記ｚ軸の正側かつ前記ｘ軸の負側において、前記振動部と前記枠部とを連結し、前記第２の連結部は、前記法線方向から見たときに、前記ｚ軸の正側かつ前記ｘ軸の正側において、前記振動部と前記枠部とを連結し、前記第３の連結部は、前記法線方向から見たときに、前記ｚ軸の負側かつ前記ｘ軸の正側において、前記振動部と前記枠部とを連結し、前記第４の連結部は、前記法線方向から見たときに、前記ｚ軸の負側かつ前記ｘ軸の負側において、前記振動部と前記枠部とを連結し、前記第１の連結部ないし前記第４の連結部のそれぞれが前記振動部に接続された部分を第１の接続部ないし第４の接続部と定義し、前記第１の接続部ないし前記第４の接続部により形成される四角形の対角線の交点は、前記法線方向から見たときに、前記ｘ軸よりも前記ｚ軸の正側又は負側のいずれかに位置している、又は、前記第１の接続部ないし前記第４の接続部により形成される四角形の対角線の交点は、前記法線方向から見たときに、前記ｚ軸よりも前記ｘ軸の正側又は負側のいずれかに位置している。【００１０】
本発明の一形態に係る水晶振動子は、前記水晶振動片と、第３の主面及び第４の主面を有し、かつ、前記第２の主面と前記第３の主面とが対向するように前記水晶振動片が実装される実装基板と、前記第３の主面を覆うキャップと、を備えている。
【発明の効果】
【００１１】
本発明によれば、励振周波数の変動を抑制できる。
【図面の簡単な説明】
【００１２】
【図１】図１は、水晶振動子１０を上側から見た図である。
【図２】図２は、水晶振動子１０の図１のＡ−Ａにおける断面構造図である。
【図３】図３は、水晶振動片１３を上側から見た図である。
【図４】図４は、水晶振動片１３を下側から見た図である。
【図５】図５は、水晶振動片１３ａを上側から見た図である。
【図６】図６は、水晶振動片１３ｂを上側から見た図である。
【図７】図７は、水晶振動片１３ｃを上側から見た図である。
【図８】図８は、特許文献１に記載の水晶デバイス５００の断面構造図である。
【図９】図９は、特許文献１に記載の水晶デバイス５００を上側から見た図である。
【発明を実施するための形態】
【００１３】
（実施形態）
以下に、一実施形態に係る水晶振動片１３を備えた水晶振動子１０について図面を参照しながら説明する。図１は、水晶振動子１０を上側から見た図である。図１では、キャップ１２の上面を省略してある。図２は、水晶振動子１０の図１のＡ−Ａにおける断面構造図である。図３は、水晶振動片１３を上側から見た図である。図４は、水晶振動片１３を下側から見た図である。
【００１４】
以下では、水晶振動片１３の水晶片１４の上面の法線方向を上下方向と定義する。また、水晶片１４を上側から見たときに、長辺に平行な方向を前後方向と定義し、短辺に平行な方向を左右方向と定義する。ただし、上下方向、前後方向及び左右方向は、一例であり、水晶振動子１０が実際に使用される際の上下方向、前後方向及び左右方向と一致している必要はない。
【００１５】
水晶振動子１０は、図１及び図２に示すように、キャップ１２、水晶振動片１３及び実装基板１６を備えている。水晶振動片１３は、図３及び図４に示すように、水晶片１４、励振電極２０，２２、引き出し電極２４，２６及び外部電極２７，２８を備えている。
【００１６】
水晶片１４（基板の一例）は、上面（第１の主面の一例）及び下面（第２の主面の一例）を有する水晶板である。水晶片１４の上面は、上側から見たときに、前後方向に延びる長辺を有する長方形状をなしている。水晶片１４は、例えば、水晶の原石などから所定の角度で切り出されたＡＴカット型である。人工水晶の結晶軸であるＸ軸、Ｙ軸、Ｚ軸のうち、Ｙ軸及びＺ軸をＸ軸の周りにＹ軸からＺ軸の方向に３５度１５分±１分３０秒回転させた軸をそれぞれＹ´軸及びＺ´軸と定義する。ＡＴカットの水晶片１４は、Ｘ軸及びＺ´軸によって特定される面と平行な面（ＸＺ´面）を主面として切り出されたものである。
【００１７】
以下の本実施形態では、ＡＴカットされた矩形状の水晶片１４のＸ軸（ｘ軸の一例）を前後方向と定義し、Ｚ´軸（ｚ軸の一例）を左右方向と定義し、Ｙ軸を上下方向と定義する。Ｘ軸及びＺ´軸の原点Ｏは、上側から見たときに、後述する振動部１４ａの対角線の交点である。また、前側はＸ軸の正側であり、後ろ側はＸ軸の負側である。右側はＺ´軸の正側であり、左側はＺ´軸の負側である。
【００１８】
水晶片１４は、振動部１４ａ、枠部１４ｂ及び連結部１４ｃ〜１４ｆを含んでおり、１枚の水晶板である。振動部１４ａは、所定の周波数で振動する。振動部１４ａの上面は上側から見たときに、後ろ側に位置する短辺（第１の辺の一例）、前側に位置する短辺（第２の辺の一例）、右側に位置する長辺（第３の辺の一例）及び左側に位置する長辺（第４の辺の一例）を有する長方形状をなしている。
【００１９】
枠部１４ｂは、上側から見たときに、振動部１４ａから離れて振動部１４ａの周囲を囲んでいる。すなわち、枠部１４ｂは、上側から見たときに、長方形状の枠形状をなしている。ただし、枠部１４ｂは、振動部１４ａに対して直接に接続されていない。振動部１４ａと枠部１４ｂとの間には、空間Ｓｐが存在している。また、枠部１４ｂは、振動部１４ａの厚み以上の厚みを有している。本実施形態では、枠部１４ｂの厚みと振動部１４ａの厚みとは実質的に等しい。以下では、厚みとは、上下方向の厚みを意味する。また、枠部１４ｂの上面と振動部１４ａの上面とは、上下方向において実質的に同じ高さに位置している。枠部１４ｂの下面と振動部１４ａの下面とは、上下方向において実質的に同じ高さに位置している。
【００２０】
連結部１４ｃ〜１４ｆは、振動部１４ａと枠部１４ｂとを連結する。以下では、連結部１４ｃ〜１４ｆのそれぞれが振動部１４ａに接続された部分を接続部１５ｃ〜１５ｆと定義する。連結部１４ｃ（第１の連結部の一例）は、上側から見たときに、Ｚ´軸の正側かつＸ軸の負側において振動部１４ａと枠部１４ｂとを連結している。より詳細には、接続部１５ｃ（第１の接続部の一例）は、上側から見たときに、振動部１４ａの後ろ側の短辺の右半分の領域に位置している。上側から見たときに、接続部１５ｃの左右方向の中心とＸ軸との距離をＷ１とする。以下では、上側から見たときに、接続部の左右方向の中心とＸ軸との距離を、単に接続部とＸ軸との距離と呼ぶ。そして、連結部１４ｃは、上側から見たときに、接続部１５ｃから後ろ側に向かって直線的に伸びている。連結部１４ｃの後端は、枠部１４ｂの内周部分の後ろ側の短辺に接続されている。
【００２１】
連結部１４ｄ（第２の連結部の一例）は、上側から見たときに、Ｚ´軸の正側かつＸ軸の正側において振動部１４ａと枠部１４ｂとを連結している。より詳細には、接続部１５ｄ（第２の接続部の一例）は、上側から見たときに、振動部１４ａの前側の短辺の右半分の領域に位置している。上側から見たときに、接続部１５ｄとＺ´軸との距離をＷ２とする。そして、連結部１４ｄは、上側から見たときに、接続部１５ｄから前側に向かって直線的に伸びている。連結部１４ｄの前端は、枠部１４ｂの内周部分の前側の短辺に接続されている。
【００２２】
連結部１４ｅ（第３の連結部の一例）は、上側から見たときに、Ｚ´軸の負側かつＸ軸の正側において振動部１４ａと枠部１４ｂとを連結している。より詳細には、接続部１５ｅ（第３の接続部の一例）は、上側から見たときに、振動部１４ａの前側の短辺の左半分の領域に位置している。上側から見たときに、接続部１５ｅとＸ軸との距離をＷ３とする。そして、連結部１４ｅは、上側から見たときに、接続部１５ｅから前側に向かって直線的に伸びている。連結部１４ｅの前端は、枠部１４ｂの内周部分の前側の短辺に接続されている。
【００２３】
連結部１４ｆ（第４の連結部の一例）は、上側から見たときに、Ｚ´軸の負側かつＸ軸の負側において振動部１４ａと枠部１４ｂとを連結している。より詳細には、接続部１５ｆ（第４の接続部の一例）は、上側から見たときに、振動部１４ａの後ろ側の短辺の左半分の領域に位置している。上側から見たときに、接続部１５ｆとＸ軸との距離をＷ４とする。そして、連結部１４ｆは、上側から見たときに、接続部１５ｆから後ろ側に向かって直線的に伸びている。連結部１４ｆの後端は、枠部１４ｂの内周部分の後ろ側の短辺に接続されている。
【００２４】
また、水晶振動片１３では、Ｗ１≠Ｗ４及びＷ２≠Ｗ３の関係が成立しており、より正確には、Ｗ１＞Ｗ４及びＷ２＞Ｗ３の関係が成立している。ただし、Ｗ１≠Ｗ４又はＷ２≠Ｗ３のいずれか一方の関係が成立していればよい。
【００２５】
また、上側から見たときに、接続部１５ｃの左右方向の中心と接続部１５ｆとの左右方向の中心との距離をＤ１とする。以下では、接続部の左右方向の中心と接続部の左右方向の中心との距離を、単に、接続部と接続部との距離と呼ぶ。接続部１５ｄと接続部１５ｅとの距離をＤ２とする。水晶振動片１３では、Ｄ１≠Ｄ２の関係が成立しており、より正確には、Ｄ１＜Ｄ２が成立している。ただし、Ｄ１＞Ｄ２が成立していてもよい。
【００２６】
以上のように、Ｄ１＜Ｄ２の関係が成立しているので、接続部１５ｃ〜１５ｆの左右方向の中心により形成される四角形の対角線の交点Ｐは、Ｚ´軸よりもＸ軸の負側（後ろ側）に位置している。なお、Ｄ１＞Ｄ２であってもよい。この場合、交点ＰはＺ´軸よりもＸ軸の正側（左側）に位置する。また、Ｗ３／Ｗ２＜Ｗ４／Ｗ１が成立しているので、交点Ｐは、Ｘ軸よりもＺ´軸の正側（右側）に位置している。なお、Ｗ３／Ｗ２＞Ｗ４／Ｗ１が成立していてもよい。この場合、交点ＰはＸ軸よりもＺ´軸の負側（左側）に位置する。
【００２７】
励振電極２０（第１の励振電極の一例）は、振動部１４ａの上面上に設けられている導体層であり、上側から見たときに、前後方向に延びる長辺を有する長方形状をなしている。励振電極２２（第２の励振電極の一例）は、振動部１４ａの下面上に設けられている導体層であり、下側から見たときに、前後方向に延びる長辺を有する長方形状をなしている。これにより、励振電極２０と励振電極２２とは、振動部１４ａを上下方向から挟んでいる。また、上側から見たときに、励振電極２０，２２の対角線の交点は、原点Ｏと一致している。
【００２８】
外部電極２７（第１の外部電極の一例）は、水晶片１４（より正確には枠部１４ｂ）の上面、後面及び下面に跨って設けられている。より詳細には、外部電極２７は、上側から見たときに、水晶片１４の上面の右後ろの角に接する長方形状をなしている。また、外部電極２７は、下側から見たときに、水晶片１４の下面の右後ろの角に接する長方形状をなしている。そして、外部電極２７において水晶片１４の後面に設けられた部分は、外部電極２７において水晶片１４の上面に設けられた部分と外部電極２７において水晶片１４の下面に設けられた部分とを繋いでいる。これにより、外部電極２７は、左側から見たときに、角張ったＵ字型をなしている。
【００２９】
外部電極２８（第２の外部電極の一例）は、水晶片１４（より正確には枠部１４ｂ）の上面上、後面上及び下面上に設けられている。より詳細には、外部電極２８は、上側から見たときに、水晶片１４の上面の左後ろの角に接する長方形状をなしている。また、外部電極２８は、下側から見たときに、水晶片１４の下面の左後ろの角に接する長方形状をなしている。そして、外部電極２８において水晶片１４の後面に設けられた部分は、外部電極２８において水晶片１４の上面に設けられた部分と外部電極２８において水晶片１４の下面に設けられた部分とを繋いでいる。これにより、外部電極２８は、左側から見たときに、角張ったＵ字型をなしている。外部電極２７，２８は、例えば、Ｃｒ下地層上にＡｕ層をめっき工法によって設けた構成である。
【００３０】
引き出し電極２４（第１の引き出し電極の一例）は、水晶片１４の上面上に設けられ、かつ、前端（第１の端部の一例）及び後端（第２の端部の一例）を有する線状の導体層である。引き出し電極２４は、連結部１４ｃ〜１４ｆのいずれか（水晶振動片１３では連結部１４ｃ）を通過することによって、その前端において励振電極２０に接続されると共に、その後端において外部電極２７と電気的に接続される。
【００３１】
引き出し電極２６（第２の引き出し電極の一例）は、水晶片１４の下面上に設けられ、かつ、前端（第３の端部の一例）及び後端（第４の端部の一例）を有する線状の導体層である。引き出し電極２６は、連結部１４ｃ〜１４ｆのいずれか（水晶振動片１３では連結部１４ｆ）を通過することによって、その前端において励振電極２２に接続されると共に、その後端において外部電極２８と電気的に接続される。励振電極２０，２２及び引き出し電極２４，２６は、例えば、Ｃｒ下地層上にＡｕ層をめっき工法によって設けた構成である。
【００３２】
実装基板１６は、図１及び図２に示すように、基板本体１７、実装電極２９，３０、外部電極３２，３４，３６，３８を備えている。基板本体１７は、上側から見たときに、前後方向に延びる長辺を有する長方形状をなす平板であり、上面（第３の主面の一例）及び下面（第４の主面の一例）を有している。基板本体１７の材料は、例えば、酸化アルミニウム質焼結体、ムライト質焼結体、窒化アルミニウム質焼結体、炭化ケイ素質焼結体、ガラスセラミックス焼結体等のセラミックス系絶縁性材料、水晶、ガラス、シリコン等である。
【００３３】
実装電極２９は、基板本体１７の上面上に設けられており、上側から見たときに、上面の右後ろの角近傍に設けられている長方形状の導体である。実装電極３０は、基板本体１７の上面上に設けられており、上側から見たときに、上面の左後ろの角近傍に設けられている長方形状の導体である。
【００３４】
外部電極３２は、基板本体１７の下面上に設けられており、下側から見たときに、基板本体１７の右後ろの角に隣接する長方形状の導体である。外部電極３４は、基板本体１７の下面上に設けられており、下側から見たときに、基板本体１７の左後ろの角に隣接する長方形状の導体である。外部電極３６は、基板本体１７の下面上に設けられており、下側から見たときに、基板本体１７の右前の角に隣接する長方形状の導体である。外部電極３８は、基板本体１７の下面上に設けられており、下側から見たときに、基板本体１７の左前の角に隣接する長方形状の導体である。実装電極２９，３０及び外部電極３２，３４，３６，３８は、例えば、Ｃｒ下地層上にＡｕ層をめっき工法によって設けた構成である。
【００３５】
また、実装電極２９と外部電極３２とは、図示しないビアホール導体により接続されている。実装電極３０と外部電極３４とは、図示しないビアホール導体により接続されている。
【００３６】
水晶振動片１３は、水晶振動片１３の下面と基板本体１７の上面とが対向するように実装基板１６に実装される。具体的には、外部電極２７，２８はそれぞれ、はんだ等により実装電極２９，３０に接続される。
【００３７】
キャップ１２は、直方体状をなす箱状（すなわち、中空）の筐体であり、上側から見たときに、実装基板１６の上面とほぼ一致する形状をなす。また、キャップ１２の下面は開口している。そして、キャップ１２は、その開口の外縁が図示しない接合材に接合されることにより、水晶片１４の上面上に固定される。これにより、実装基板１６の上面及び水晶振動片１３は、キャップ１２により覆い隠される。キャップは、例えば、Ｃｕからなる本体にＡｕ層をめっき工法によって設けた構成である。
【００３８】
（効果）
以上のように構成された水晶振動片１３によれば、励振周波数の変動を抑制できる。より詳細には、特許文献１に記載の水晶デバイスでは、上側から見たときに、水晶片５０２及び水晶片５０２に設けられている外部電極や励振電極が、直線Ｌ５００に関して線対称な構造を有している。そのため、水晶片５０２は、直線Ｌ５００に関して線対称な位置において台座５０４に固定されている。したがって、衝撃による応力は、固定箇所の中間である直線Ｌ５００上において大きくなる。直線Ｌ５００上には、励振電極の中心が位置しており、励振電極の中心に大きな応力が加わる。その結果、水晶デバイス５００の励振周波数が変動する。
【００３９】
そこで、水晶振動片１３では、接続部１５ｃ〜１５ｆにより形成される四角形の対角線の交点Ｐは、Ｘ軸よりもＺ´軸の正側（右側）に位置しており、Ｘ軸からずれている。したがって、Ｘ軸（直線Ｌ５００に相当）上において大きな応力が発生することが抑制され、原点Ｏにおいて大きな応力が発生することが抑制される。その結果、励振電極２０，２２の対角線の交点において大きな応力が発生することが抑制されるようになり、励振周波数の変動が抑制される。
【００４０】
また、水晶振動片１３では、以下に説明する理由によっても、励振周波数の変動を抑制できる。より詳細には、交点Ｐは、Ｚ´軸よりもＸ軸の負側（後ろ側）に位置しており、Ｚ´軸からずれている。したがって、Ｚ´軸上において大きな応力が発生することが抑制され、原点Ｏにおいて大きな応力が発生することが抑制される。その結果、励振電極２０，２２の対角線の交点において大きな応力が発生することが抑制されるようになり、励振周波数の変動が抑制される。
【００４１】
（第１の変形例）
以下に、第１の変形例に係る水晶振動片１３ａについて図面を参照しながら説明する。図５は、水晶振動片１３ａを上側から見た図である。
【００４２】
水晶振動片１３ａは、連結部１４ｃ〜１４ｆの配置において水晶振動片１３と相違する。より詳細には、連結部１４ｄ，１４ｅはそれぞれ、上側から見たときに、振動部１４ａの右前の角及び左前の角に連結されている。水晶振動片１３ａの連結部１４ｃ，１４ｆは、水晶振動片１３の連結部１４ｃ，１４ｆと同じであるので説明を省略する。これにより、Ｄ２がＤ１よりも更に大きくなっている。
【００４３】
以上のような水晶振動片１３ａによれば、水晶振動片１３と同じように、励振周波数の変動が抑制される。
【００４４】
（第２の変形例）
以下に、第２の変形例に係る水晶振動片１３ｂについて図面を参照しながら説明する。図６は、水晶振動片１３ｂを上側から見た図である。
【００４５】
水晶振動片１３ｂは、Ｄ１とＤ２との大小関係において、水晶振動片１３と相違する。より詳細には、水晶振動片１３ｂでは、Ｄ１＝Ｄ２が成立している。これにより、交点Ｐは、Ｚ´軸上に位置している。
【００４６】
以上のような水晶振動片１３ｂによれば、水晶振動片１３と同じように、励振周波数の変動が抑制される。
【００４７】
（第３の変形例）
以下に、第３の変形例に係る水晶振動片１３ｃについて図面を参照しながら説明する。図７は、水晶振動片１３ｃを上側から見た図である。
【００４８】
水晶振動片１３ｃは、連結部１４ｅ，１４ｆの線幅において、水晶振動片１３と相違する。より詳細には、連結部１４ｅ，１４ｆの線幅は、連結部１４ｃ，１４ｄの線幅よりも細い。線幅とは、上側から見たときに、連結部１４ｃ〜１４ｆが延びる方向（前後方向）に直交する方向（左右方向）の幅である。
【００４９】
以上のような水晶振動片１３ｃによれば、水晶振動片１３と同じように、励振周波数の変動が抑制される。
【００５０】
（その他の実施形態）
本発明に係る水晶振動片及び水晶振動子は、水晶振動片１３，１３ａ〜１３ｃ及び水晶振動子１０に限らず、その要旨の範囲内において変更可能である。
【００５１】
なお、水晶振動片１３，１３ａ〜１３ｃの構成を任意に組み合わせてもよい。
【００５２】
また、水晶片１４は、ＡＴカットの水晶片であるとしたが、同じように厚みすべりモードで振動するＢＴカットの水晶片であってもよい。
【００５３】
なお、水晶片１４は、一枚の水晶板である必要はない。より詳細には、振動部１４ａが１枚の水晶板であればよく、枠部１４ｂ及び連結部１４ｃ〜１４ｆは水晶板でなくてもよい。
【００５４】
なお、水晶片１４の振動部１４ａは、所謂メサ構造を有していてもよい。すなわち、振動部１４ａの外縁の厚みは、振動部１４ａの外縁を除く部分の厚みより小さくてもよい。これにより、振動部１４ａから振動が漏れることがより効果的に抑制される。
【００５５】
なお、交点Ｐは、Ｚ´軸よりもＸ軸の正側に位置していてもよい。また、交点Ｐは、Ｘ軸よりもＺ´軸の負側に位置していてもよい。
【００５６】
なお、交点Ｐは、Ｘ軸上に位置し、かつ、Ｚ´軸よりもＸ軸の正側又は負側に位置していてもよい。また、交点Ｐは、Ｚ´軸上に位置し、かつ、Ｘ軸よりもＺ´軸の正側又は負側に位置していてもよい。
【００５７】
なお、接続部１５ｃ，１５ｄは、上側から見たときに、振動部１４ａの右側の長辺に位置してもよいし、接続部１５ｅ，１５ｆは、上側から見たときに、振動部１４ａの左側の長辺に位置してもよい。
【産業上の利用可能性】
【００５８】
以上のように、本発明は、水晶振動片及び水晶振動子に有用であり、特に、励振周波数の変動が抑制できる点で優れている。
【符号の説明】
【００５９】
１０：水晶振動子
１２：キャップ
１３，１３ａ〜１３ｃ：水晶振動片
１４：水晶片
１４ａ：振動部
１４ｂ：枠部
１４ｃ〜１４ｆ：連結部
１５ｃ〜１５ｆ：接続部
１６：実装基板
１７：基板本体
２０，２２：励振電極
２４，２６：引き出し電極
２７，２８，３２，３４，３６，３８：外部電極
２９，３０：実装電極
Ｏ：原点
Ｐ：交点
Ｓｐ：空間
【図１】
2017221609.tif 000003
【図２】
2017221609.tif 000004
【図３】
2017221609.tif 000005
【図４】
2017221609.tif 000006
【図５】
2017221609.tif 000007
【図６】
2017221609.tif 000008
【図７】
2017221609.tif 000009
【図８】
2017221609.tif 000010
【図９】
2017221609.tif 000011
【国際調査報告】
2017221609.tif 000012
2017221609.tif 000013